(57)【要約】【課題】文字、図柄、写真等の商品情報が見易い商品陳列装置を提供する。【解決手段】１枚の背板１１を備えた商品陳列装置であって、この背板１１が、上端に達することなく下端から上方に向かって延びる１本又は複数本の縦方向の折り目１２１、１２２によって区切られた複数の平坦な領域（商品保持面１４１〜１４３）を有する商品保持部１２と、商品保持部１２よりも上側に設けられた、横方向に湾曲した面から成る商品情報表示部１６を備える。商品情報表示部１６には折り目がないため、商品情報に折り目の線が重なることがない。【選択図】図１
2014104168.tif 000002
【特許請求の範囲】
【請求項１】
１枚の背板を備えた商品陳列装置であって、前記背板が、
該背板の上端に達することなく下端から上方に向かって延びる１本又は複数本の縦方向の折り目によって区切られた複数の平坦な領域を有する商品保持部と、
該商品保持部よりも上側に設けられた、横方向に湾曲した面から成る商品情報表示部と、
を備えることを特徴とする商品陳列装置。
【請求項２】
前記折り目が前記背板の前面において山折りであることを特徴とする請求項１に記載の商品陳列装置。
【発明の詳細な説明】
【技術分野】
【０００１】
本発明は、商品を陳列する商品陳列装置に関する。
【背景技術】
【０００２】
店頭においては、新しく発売された商品や販売を強化したい商品等を商品陳列装置を用いて、他の商品から区別した状態で陳列されることが多い。
【０００３】
そのような商品陳列装置の一例として、特許文献１には、厚紙や段ボール等から成る背板の前面に箱状の商品収容部が設けられた商品陳列装置が記載されている。この商品陳列装置は、背板に上端から下端まで延びる縦方向の折り目が（実施例では２本）形成され、該背板の前面の折り目と折り目の間の部分に商品収容部が設けられている。折り目は背板の前面において山折りになるように設けられている。この装置は通常、上部に紐を取り付けることにより、吊り下げ型の商品陳列装置として使用される。
【先行技術文献】
【特許文献】
【０００４】
【特許文献１】特開2000-139643号公報
【発明の概要】
【発明が解決しようとする課題】
【０００５】
商品陳列装置では、単に商品を陳列するだけでなく、その商品の商品名・キャッチコピー・説明文などの文字や、商品自体あるいは商品のイメージを向上させるための図柄あるいは写真等を該商品陳列装置に表示するのが普通である。以下、これら商品に関する文字、図柄、写真等を「商品情報」と呼ぶ。このような商品情報は背板の前面や商品収容部の側面等、商品陳列装置の様々な部位に表示されるが、特に、商品名や商品の写真等、商品を直接表すような商品情報は背板前面のまとまった領域に大きく表示される。ところが、特許文献１に記載の商品陳列装置では、商品情報と折り目が重なってしまい、商品情報が見難くなる。
【０００６】
本発明が解決しようとする課題は、商品情報が見易い商品陳列装置を提供することである。
【課題を解決するための手段】
【０００７】
上記課題を解決するために成された本発明に係る商品陳列装置は、１枚の背板を備えた商品陳列装置であって、前記背板が、
該背板の上端に達することなく下端から上方に向かって延びる１本又は複数本の縦方向の折り目によって区切られた複数の平坦な領域を有する商品保持部と、
該商品保持部よりも上側に設けられた、横方向に湾曲した面から成る商品情報表示部と、
を備えることを特徴とする。
【０００８】
本発明に係る商品陳列装置では、商品情報表示部は、折り目が設けられることなく湾曲しているため、商品情報表示部に記載の商品情報に折り目の線が重なることがない。
【０００９】
また、商品保持部には背板の下端まで折り目が設けられているため、吊り下げ型として使用する場合のみならず、床等に載置される据え置き型として使用する場合にも、商品陳列装置全体が商品の重みや自重により屈曲することがない。
【００１０】
折り目は背板の前面（商品保持部において商品が保持される面）において山折り、谷折りのいずれになるように設けてもよいが、山折りの方が、商品保持部に保持された商品が前方に張り出すように見えるため、訴求効果を高めることができる。
【発明の効果】
【００１１】
本発明によれば、商品情報表示部に折り目が存在せず、それにより商品情報が見易い商品陳列装置が得られる。
【図面の簡単な説明】
【００１２】
【図１】本発明に係る商品陳列装置の第１実施例を示す表側の斜視図(a)、A-A'断面図(b)、B-B'断面図(c)、及び裏側の斜視図(d)。
【図２】第１実施例の商品陳列装置の展開図。
【図３】第１実施例の商品陳列装置の変形例である、吊り下げ紐を設けた例を示す表側の斜視図(a)、及び裏側の斜視図(b)。
【図４】本発明に係る商品陳列装置の第２実施例を示す表側の斜視図。
【図５】本発明に係る商品陳列装置の第３実施例を示す表側の斜視図。
【発明を実施するための形態】
【００１３】
本発明に係る商品陳列装置の実施例を、図１〜図５を用いて説明する。
【実施例１】
【００１４】
第１の実施例の商品陳列装置１０を、図１〜図３を用いて説明する。この商品陳列装置１０は、図１(a)に示すように、長方形の厚紙を折り曲げ、及び湾曲させた背板１１を有する。背板１１には、下端から、背板１１の高さの約2/3の長さを有する縦方向の２本の折り目１２１及び１２２が平行に設けられている。これら折り目１２１及び１２２は共に、背板１１の一方の面から見て山折りになっている。以下、この「一方の面」を背板の「表面」（おもてめん）と呼ぶ。これら２本の折り目１２１及び１２２、並びに背板１１の両側の辺（長方形の長辺）１３１及び１３２を合わせた４本の縦方向の線は等間隔に並んでおり、各線の間にある合計３面は平坦になっている（図１(b)）。これら３面を商品保持面１４１、１４２及び１４３と呼ぶ。商品保持面１４１、１４２及び１４３にはそれぞれ、商品を掛ける（保持する）ためのフック１５が縦方向に３個ずつ取付けられている。これら折り目１２１及び１２２、商品保持面１４１、１４２及び１４３並びにフック１５を合わせたものを、「商品保持部１２」と呼ぶ。
【００１５】
背板１１のうち上側の約1/3の部分には、折り目が達しておらず、表面から見て横方向の中央が手前であって両側が奥になるように湾曲した商品情報表示面（商品情報表示部）１６が形成されている（図１(c)）。商品情報表示面１６には、商品の名称やキャッチコピー等の文字、あるいは商品の図柄やイメージ画等の図や写真等を、直接印刷したり、貼付することができる。商品情報表示面１６の湾曲の方向は、商品保持部１２において背板１１が折り目１２１及び１２２によって折り曲げられた方向に対応している。商品情報表示面１６のうち、商品保持部１２との境界付近の領域１６１においては、商品保持面１４１、１４２及び１４３の平坦な面と接続するように、「横方向の中央が手前、両側が奥」という単純な湾曲面から変形している。この変形は、背板１１の厚紙が有する可撓性により、自然に形成される。
【００１６】
背板１１の下端には、商品保持面１４１、１４２及び１４３と直交する底板１７１が接続されている。底板１７１の形状は台形であり、その台形の下底を除く３本の辺がそれぞれ、３面の商品保持面１４１、１４２及び１４３のうちの１面に接している。背板１１の上端には、商品情報表示面１６と直交する天板１７２が接続されている。天板１７２は弧と弦を組み合わせた形状を有しており、その弧の曲線が商品情報表示面１６に接している。
【００１７】
図１(d)に示すように、底板１７１の台形の下底には下フラップ１８１が、天板１７２の弦には上フラップ１８２が、それぞれ接続されている。また、背板１１の両側部には、表面から見て左フラップ１８３及び右フラップ１８４がそれぞれ接続され、これらはいずれも背板１１の裏側（表面の反対側）に折り返されている。そして、下フラップ１８１の左端部と左フラップ１８３の上部、下フラップ１８１の右端部と右フラップ１８４の上部、上フラップ１８２左端部と左フラップ１８３の下部、及び右フラップ１８４の下部が互いに重なっており、後述の切り込みを噛み合わせることにより、それら重なりの部分が固定されている。
【００１８】
図２に、商品陳列装置１０の展開図を示す。商品陳列装置１０のうち、フック１５以外の部分は、１枚の厚紙を打ち抜いたブランクシート２０から形成されている。ブランクシート２０には中央に背板１１が設けられ、背板１１の上下左右にそれぞれ天板１７２、底板１７１、左フラップ１８３及び右フラップ１８４が接続され、底板１７１の下側に下フラップ１８１が、天板１７２の上側に上フラップ１８２が、それぞれ接続されている。背板１１には折り目１２１及び１２２、並びにフック１５を取り付けるためのフック取付孔１５１が形成されている。フック取付孔１５１の形状は、例えば特開2011-025022号に記載のものを適用することができる。
【００１９】
下フラップ１８１の下辺の左右両端付近にはそれぞれ切り込み１８１１及び１８１２が、上フラップ１８２の上辺の左右両端付近にはそれぞれ切り込み１８２１及び１８２２が、左フラップ１８３の上下両端にはそれぞれ切り込み１８３１及び１８３２が、右フラップ１８４の上下両端にはそれぞれ切り込み１８４１及び１８４２が設けられている。
【００２０】
商品陳列装置１０は、ブランクシート２０から、以下のように組み立てられる。背板１１は折り目１２１及び１２２で表面に対して山折りに折る。底板１７１及び天板１７２は、背板１１に垂直になるように裏面側に折り込む。その際、底板１７１の台形の脚１７１１（上底及び下底以外の２本の辺。図２参照。）の一方を商品保持面１４１の下辺と重ね、他方を商品保持面１４３の下辺と重ねる。また、天板１７２の弧１７２１を商品保持面１４１及び１４３の上辺と重ねることにより、商品情報表示面１６を横方向に湾曲させるようにする。
【００２１】
下フラップ１８１、上フラップ１８２、左フラップ１８３及び右フラップ１８４はいずれも、底板１７１及び天板１７２に垂直になるように、裏面側に折り込む。そして、切り込み１８１１と切り込み１８３２、切り込み１８１２と切り込み１８４２、切り込み１８２１と切り込み１８３１、切り込み１８２２と切り込み１８４１を噛み合わせることにより、これら４枚のフラップを互いに固定することにより、商品陳列装置１０が完成する。
【００２２】
第１実施例の商品陳列装置１０は、床面に底板１７１を接触させるように該床面に載置することにより、据え置き型の商品陳列装置として使用される。その際、商品を掛ける（保持する）ためのフック１５が取り付けられた商品保持面１４１〜１４３では、折り目１２１及び１２２が形成されているため、自重や商品の重みにより屈曲することを防ぐことができる。また、商品情報表示面１６には折り目１２１及び１２２が達していないため、商品情報に折り目が重なることがない。
【００２３】
第１実施例の商品陳列装置１０において、図３に示すように、吊り下げ紐１９を取り付けることにより、吊り下げ型の商品陳列装置、あるいは据え置き型と吊り下げ型の兼用の装置として使用することもできる。図３の例では、吊り下げ紐１９は、左フラップ１８３及び右フラップ１８４の上端付近であって上フラップ１８２との重なりの部分よりも下側に設けられた紐取付孔１９１に固定される。
【実施例２】
【００２４】
ここまでは、折り目を２本、商品保持面を３面設けた例を示したが、それらの数はこの例には限定されない。例えば、図４(a)に示す商品陳列装置１０Ａのように、折り目１２１Ａを１本のみ、商品保持面１４１Ａを２面設けてもよいし、図４(b)に示す商品陳列装置１０Ｂのように、折り目１２１Ｂを３本、商品保持面１４１Ｂを４面設けてもよい。さらには、折り目を４本以上、商品保持面を５面以上設けてもよい。
【実施例３】
【００２５】
上記各実施例では背板の表面から見て山折りの折り目を設けたが、谷折りの折り目を設けたり、山折りの折り目と谷折りの折り目を組み合わせて設けてもよい。例えば、図５に示す商品陳列装置１０Ｃのように、山折りの折り目１２１Ｃと谷折りの折り目１２１Ｄを交互に並べることにより、商品保持面１４１Ｃが屏風のように並んだ商品保持部が形成される。この場合、商品保持部の上側に設けられる商品情報表示面１６Ｃは、前後方向に波状に曲がった曲面になる。
【００２６】
（その他）
上記実施例では、背板、底板、天板及びフラップに厚紙を用いたが、厚紙の代わりに段ボールを用いてもよい。その場合、折り目及び商品情報表示面の曲面を形成しやすくするために、折り目の方向を段ボールの芯が延びる方向に合わせることが望ましい。また、上記実施例（図４(a)の例を除く）では２本以上の折り目を互いに平行に設けているが、それら折り目の方向が平行から多少ずれていてもよい。
【符号の説明】
【００２７】
１０、１０Ａ〜１０Ｃ…商品陳列装置
１１…背板
１２…商品保持部
１２１、１２２、１２１Ａ〜Ｃ…（山折りの）折り目
１２１Ｄ…谷折りの折り目１２１Ｄ
１３１、１３２…背板の両側の辺
１４１〜１４３、１４１Ａ〜Ｃ…商品保持面（商品保持部）
１５…フック
１５１…フック取付孔
１６、１６Ｃ…商品情報表示面（商品情報表示部）
１６１…商品情報表示面の、商品保持部との境界付近の領域
１７１…底板
１７１１…底板の台形の脚
１７２…天板
１７２１…天板の弧
１８１…下フラップ
１８２…上フラップ
１８３…左フラップ
１８４…右フラップ
１８１１、１８１２、１８２１、１８２２、１８３１、１８３２、１８４１、１８４２…切り込み
１９…吊り下げ紐
１９１…紐取付孔
２０…ブランクシート
【図１】
2014104168.tif 000003
【図２】
2014104168.tif 000004
【図３】
2014104168.tif 000005
【図４】
2014104168.tif 000006
【図５】
2014104168.tif 000007